(57)【特許請求の範囲】
【請求項１】
車輪毎に設置されストローク量を調整可能に構成されたサスペンションと、
車両制動時の制動状態を検出する制動状態検出手段と、
車両の操舵量を検出する操舵検出手段と、
前記操舵検出手段の検出値に基づき車両が直進中か否かを判定し、前記制動状態検出手段の検出値に基づき車両が制動されたか否かを判定する直進制動判定手段と、
前記直進制動判定手段により直進時に車両が制動されたと判定されたとき、車両の左右非対称性に起因して車体に発生する偏向量を予測する偏向量予測手段と、
前記サスペンションのストローク量を変更してステア角を変えることで、予測された偏向を減少させるストローク調整手段と、
を備えることを特徴とする車両制御装置。
【請求項２】
前記ストローク調整手段は、前記サスペンションのストローク調整に基づくトー角の左右差により生じるヨーモーメントを利用して前記偏向を減少させることを特徴とする請求項１に記載の車両制御装置。
【請求項３】
前記偏向量予測手段は、車体の重心と減速度から前記偏向量を予測することを特徴とする請求項１または２に記載の車両制御装置。
【請求項４】
各車輪にかかる接地荷重に基づき車体の重心を推定する重心推定手段をさらに備えることを特徴とする請求項３に記載の車両制御装置。
【請求項５】
車輪毎に設置されストローク量を調整可能に構成されたサスペンションを備える車両において、直進制動時の車両の偏向を抑制する車両制御方法であって、
車両制動時の制動状態を検出し、
車両の操舵量を検出し、
検出された操舵量に基づき車両が直進中か否かを判定し、
検出された制動状態に基づき車両が制動されたか否かを判定し、
直進時に車両が制動されたと判定されたとき、車両の左右非対称性に起因して車体に発生する偏向量を予測し、
前記サスペンションのストローク量を変更してステア角を変えることで、予測された偏向を減少させることを含む車両制御方法。
【発明の詳細な説明】
【技術分野】
【０００１】
本発明は、車高調整機構を備えた車両の制御技術に関する。
【背景技術】
【０００２】
一般に、路面状態や走行特性に合わせて各車輪のサスペンション装置のストローク量を調整する機能を持った車両が知られている。このような車両では、車両の駆動時または制動時にストローク量を変えることで、車両挙動を制御することが可能である。
【０００３】
例えば、車両の制動時に発生する車両を偏向させるヨーモーメントを抑制する技術が知られている。特許文献１には、車両の構造に内在する左右の非対称性に起因して車両の制動時に生ずる車両の偏向を是正する運動制御装置が開示されている。
【０００４】
また、サスペンション装置におけるトー角の変化による影響を軽減する技術として、特許文献２には、車両用サスペンションにおいて、車体に対するタイヤの上下動に伴うトー角の変化が打ち消されるようにトー角変化の特性を設定することが開示されている。特許文献３には、左右操舵輪における車高の左右差が所定値以上のとき、左右操舵輪のサスペンションストロークに伴うトー角変化に起因して発生する車両のヨー運動が減少する方向に各輪の駆動力を修正する駆動力制御装置が開示されている。
【先行技術文献】
【特許文献】
【０００５】
【特許文献１】特開２００８−０３７２５９号公報
【特許文献２】特開平０８−０３４２２１号公報
【特許文献３】特開２００７−０４３８３７号公報
【発明の概要】
【発明が解決しようとする課題】
【０００６】
上記の特許文献１の技術では、車両の左右非対称に起因する直進制動時の偏向を抑制する方向にヨーモーメントを発生させるために、操舵角や左右の制動力等を制御している。そのため、車両の運転者の操舵とは独立に転舵可能な操舵装置や、車両の左右輪の間で制動力差を付与する制動装置といった構成が必要となり、構造が複雑化しコストも増大してしまうという問題がある。
【０００７】
本発明はこうした状況に鑑みてなされたものであり、その目的は、車両の車高調整機能を使用して車両の直進制動時に発生する偏向を抑制する技術を提供することにある。
【課題を解決するための手段】
【０００８】
本発明の一態様は、車両制御装置である。この装置は、車輪毎に設置されストローク量を調整可能に構成されたサスペンションと、車両制動時の制動状態を検出する制動状態検出手段と、車両の操舵量を検出する操舵検出手段と、前記操舵検出手段の検出値に基づき車両が直進中か否かを判定し、前記制動状態検出手段の検出値に基づき車両が制動されたか否かを判定する直進制動判定手段と、前記直進制動判定手段により直進時に車両が制動されたと判定されたとき、車両の左右非対称性に起因して車体に発生する偏向量を予測する偏向量予測手段と、予測された偏向を減少させるように前記サスペンションのストローク量を変更するストローク調整手段と、を備える。
【０００９】
この態様によると、制動時に車体に発生するであろう偏向量が予測され、これを減少させる方向に各輪のサスペンション装置のストローク量が調整される。これによって、サスペンション装置のステア角が変わり、車体に発生する制動偏向が抑制される。
【００１０】
前記ストローク調整手段は、前記サスペンションのストローク調整に基づくトー角の左右差により生じるヨーモーメントを利用して前記偏向を減少させてもよい。
【００１１】
前記偏向量予測手段は、車体の重心と減速度から前記偏向量を予測してもよい。また、各車輪にかかる接地荷重に基づき車体の重心を推定する重心推定手段をさらに備えてもよい。
【００１２】
本発明の別の態様は、車輪毎に設置されストローク量を調整可能に構成されたサスペンションを備える車両において、直進制動時の車両の偏向を抑制する車両制御方法である。この方法は、車両制動時の制動状態を検出し、車両の操舵量を検出し、検出された操舵量に基づき車両が直進中か否かを判定し、検出された制動状態に基づき車両が制動されたか否かを判定し、直進時に車両が制動されたと判定されたとき、車両の左右非対称性に起因して車体に発生する偏向量を予測し、予測された偏向を減少させるように前記サスペンションのストローク量を変更することを含む。
【発明の効果】
【００１３】
本発明によれば、車高調整機構を備えた車両において、車両の左右非対称性に起因する直進制動時の偏向を抑制することができる。
【図面の簡単な説明】
【００１４】
【図１】本発明の一実施形態に係る車両制御装置を備えた四輪の車両の模式図である。
【図２】制動時に車両の偏向が発生する原理を説明するための模式図である。
【図３】車両制御装置の構成を示す機能ブロック図である。
【図４】車両制御装置によって偏向が抑制される原理を説明するための模式図である。
【図５】（ａ）〜（ｄ）は、各輪における制御時のストローク量の変更を説明するグラフである。
【図６】車両の偏向を抑制する制御のフローチャートである。
【発明を実施するための形態】
【００１５】
図１は、本発明の一実施形態に係る車両制御装置を備えた四輪の車両１０の模式図である。車両１０は、左前輪ＦＬ、右前輪ＦＲ、左後輪ＲＬ、右後輪ＲＲからなる車輪を備える。図１では、説明を簡単にするために懸架装置を平面的に表しているが、実際の車両においては、懸架装置の機能を発揮するために適切な空間配置で、例えばナックル、タイロッド、アッパーアーム、ロアアームなどの他の部品と既知の方法で組み合わせて構成される。
【００１６】
車両１０の車体１２と各車輪ＦＬ、ＦＲ、ＲＬ、ＲＲの間には、空気ばねとアブソーバとを組み合わせて構成されるエアサスペンション装置１６がそれぞれ設けられている。アブソーバ（図示せず）を取り囲むように形成されたエアチャンバ（図示せず）に圧縮空気を充填することで、エアチャンバ内の圧縮空気がばねとして作用する。空気ばねによって車輪を弾性支持することで、車輪の衝撃が車体１２に直接的に伝達されることが防止される。また、エアチャンバの容積を変化させることで、車輪毎に車高、すなわち車輪と車体との間の距離を調整することができる。アブソーバは、車両のばね上とばね下の間に減衰力を発生させる。
【００１７】
各車輪ＦＬ、ＦＲ、ＲＬ、ＲＲの近傍には、対応するエアサスペンション装置１６を構成するアブソーバのストローク量を測定するストロークセンサ１０６がそれぞれ配置されている。ストロークセンサ１０６の検出信号は、車体１２に備えられる電子制御装置１００（以下「ＥＣＵ１００」と表記する）に送られる。
【００１８】
一部の実施形態では、車輪の接地荷重を検出するための接地荷重センサ（図示せず）が各車輪のエアサスペンション１６に組み込まれている。接地荷重センサを設ける代わりに、ストロークセンサ１０６で検出されるストローク量に空気ばねのばね定数を乗じることで、車輪の接地荷重を算出するようにしてもよい。
【００１９】
車輪速センサ１０４は、各車輪ＦＬ、ＦＲ、ＲＬ、ＲＲの近傍、またはいずれか一つの車輪の近傍に設置され、車輪の回転数を検出してＥＣＵ１００に送信する。ステアリングホイール１８には操舵角センサ１０２が設けられており、ステアリングホイールの操舵角を検出してＥＣＵ１００に送信する。
【００２０】
また、車体にはブレーキトルクセンサ１１０も設置されている。ブレーキトルクセンサ１１０は、例えば、ドライバーによるブレーキペダルの踏み込み量を検出し、この踏み込み量に応じたブレーキトルクをＥＣＵ１００に送信する。なお、本実施形態では、ブレーキペダルの踏み込み量とブレーキトルクとが略線形の範囲内にあるものとする。
【００２１】
エアサスペンション装置１６のエアチャンバは、空気供給ライン１９０と連通している。空気供給ライン１９０の途中には、各車輪に対応してそれぞれ空気圧制御バルブ１４０が設けられている。空気圧制御バルブ１４０はＥＣＵ１００と電気的に接続されており、ＥＣＵ１００からの信号に応じて開弁状態と閉弁状態とに切り換えることができる。これによって、空気供給ライン１９０を介してエアサスペンション１６のエアチャンバ２０内部に空気を供給したり、内部から空気を排出したりすることができる。
【００２２】
車体１２には、圧縮空気を蓄積し空気供給ライン１９０を介してエアチャンバに空気を供給するためのエアタンク１６６が設けられている。図１では、エアタンク１６６は前輪と後輪でそれぞれ一つずつ描かれているが、車体に一つのみのエアタンクを設けてもよいし、各車輪にエアタンクを設けてもよい。エアタンク１６６は、コンプレッサ（図示せず）から圧縮空気を送り込むことで、例えば７００〜８００ｋＰａに維持されている。コンプレッサはモータ（図示せず）から動力の供給を受けて、外部から空気を取り込み圧縮空気を生成する。
【００２３】
図２は、車両の直進制動時に偏向が発生するメカニズムを説明するための模式図である。車両の構造が左右対称である車両であれば、車両を偏向させるような外的な要因がない限り、直進制動時に車両が偏向することはないはずである。しかし、現実には、車両に搭載されている各種装置の搭載位置が左右対称ではなく、また乗員や荷物も偏って積載されることが多いため、車両の重量分布が左右対称になることは少ない。つまり、重心が車両の中心から左右いずれかにずれている。重心が左右いずれかにずれた状態で、左右の車輪に等しいブレーキトルクが加えられると、車体の重心周りにヨー方向のモーメントが発生するので、直進制動時であっても車両が偏向する。
【００２４】
図２は、右ハンドルの車両で乗員が運転者一名であるときの車両１０の模式図である。この場合、重心Ｇは、車体の中心線Ｃよりも右側にずれて位置することになる。ブレーキがかけられたとき、左右の車輪に加わる制動力が等しい（すなわち、Ｄ１＝Ｄ２＝Ｄ３＝Ｄ４）と仮定する。重心に加わるヨーモーメントは、重心からの各車輪ＦＬ、ＦＲ、ＲＬ、ＲＲの距離と制動力との積で表されるから、重心Ｇが右寄りであるとき、重心Ｇには図示するように反時計回りのモーメントＭが発生する。したがって、車体は図の左方向ＢＬに偏向する。
【００２５】
本実施形態では、この偏向を抑制するため、直進制動時にサスペンションのストローク量が左右の車輪で異なるように制御する。この結果、左右の車輪のステア量が車体に生じる偏向を減少させる方向に働き、結果として車体の偏向が抑制される。
【００２６】
図３は、ＥＣＵ１００のうち本実施形態に係る車両制御に関与する部分（以下「車両制御装置１５０」と呼ぶ）の構成を示す機能ブロック図である。ここに示す各ブロックは、ハードウェア的には、コンピュータのＣＰＵやメモリをはじめとする素子や機械装置で実現でき、ソフトウェア的にはコンピュータプログラム等によって実現されるが、ここでは、それらの連携によって実現される機能ブロックとして描いている。したがって、これらの機能ブロックはハードウェア、ソフトウェアの組み合わせによっていろいろなかたちで実現できることは、当業者には理解されるところである。
【００２７】
車両制御装置１５０は、検出値取得部１２０、直進制動判定部１２１、偏向予測部１２２、ストローク調整部１２６を含む。
【００２８】
検出値取得部１２０は、車両に設置された各種センサから様々な検出値を受け取る。この検出値には、ストロークセンサ１０６で検出されるストローク量、車輪速センサ１０４で検出される車輪速、操舵角センサ１０２で検出される操舵角、ブレーキトルクセンサ１１０で検出されるペダル踏み込み量などが含まれる。
【００２９】
直進制動判定部１２１は、検出値取得部１２０で取得された検出値に基づき、車両１０が直進制動状態であるか否かを判定する。具体的には、操舵角が所定の角度範囲内（例えば−５度〜＋５度）である場合、車両１０が直進していると判定し、この状態でブレーキペダルが所定量以上踏み込まれたとき、すなわちブレーキトルクが所定値以上であるときに、直進制動状態であると判定する。
【００３０】
偏向予測部１２２は、直進制動判定部１２１により直進時に車両が制動されたと判定されたとき、車両の左右非対称性に起因して車体に発生する偏向の方向と大きさとを推定する。偏向予測部１２２は、重心推定部１２３と偏向量推定部１２４とを含む。
【００３１】
重心推定部１２３は、車体１２の重心位置を推定する。車体１２に荷重センサが設置されている場合には、各車輪の接地荷重の分布から車体の重心位置を推定することができる。車体１２に荷重センサが設定されていない場合には、ストロークセンサ１０６により検出されたストローク量に所定のばね定数を乗じて各車輪の接地荷重を算出した後、重心位置を推定する。この重心位置は、制動時に各車輪に発生するヨーモーメントの値に関連する。なお、重心位置は固定値であってもよい。
【００３２】
偏向量推定部１２４は、重心推定部１２３で求められた車体の重心、車輪速センサ１０４により検出される車速、およびブレーキトルクセンサ１１０で検出されるブレーキトルクに基づき、直進制動時に車体に発生するであろう偏向の向きおよび大きさを推定する。
【００３３】
偏向量推定部１２４は、車速とブレーキトルクから車両の減速度を算出する。そして、偏向量推定部１２４は、算出した減速度と車体の重心の各パラメータの組み合わせに対して車体に発生する偏向の大きさが一意に定められた偏向量マップを参照して、車体に発生する偏向量を推定する。なお、偏向の向きは、マップ内で偏向量の正負で表されていてもよいし、車体の中心線に対して重心が左右どちら側にあるかに応じて偏向量推定部１２４が決定してもよい。偏向量マップは、車両毎にまたは車両の型式毎に、実車による試験またはシミュレーション等に基づき、各パラメータの組み合わせを与えたときの車両の偏向を計測または計算することで作成することができる。
【００３４】
ストローク調整部１２６は、偏向予測部１２２で予測された偏向の影響を減少させるために、各車輪のサスペンション装置のストローク量を調整する。具体的には、ストローク調整部１２６は、サスペンション装置のストローク量の変更によるトー角の左右差によって車体に生じるヨーモーメントを利用して、偏向を抑制する。
【００３５】
ストローク調整部１２６は、ストローク量算出部１２８とバルブ制御部１３０を含む。ストローク量算出部１２８は、各車輪のサスペンション装置に発生させるべきストローク量を計算する。このストローク量の計算は、例えば、エアサスペンション装置のジオメトリに基づいて予め設定された計算式に、偏向量推定部１２４で求められた偏向の方向および大きさを入力することで行われてもよい。または、偏向の向きおよび大きさの組み合わせに対して各車輪のサスペンション装置で実現すべきストローク量が一意に定められているストローク量マップを参照して、各車輪のストローク量を求めてもよい。このストローク量マップは、車両毎にまたは車両の型式毎に、実車による試験またはシミュレーション等に基づき、制動偏向の影響を軽減するのに必要な各車輪のサスペンション装置のストローク量を計測または計算することで作成することができる。
【００３６】
バルブ制御部１３０は、ストローク量算出部１２８で算出されたストローク量が各車輪のエアサスペンション装置で発生するように、それぞれのエアチャンバに通じる空気圧制御バルブの開度や時間等を制御する。エアサスペンション装置のストローク量をバルブの開閉で調節することは周知なので、詳細な説明は省略する。
【００３７】
車両制御装置１５０の作用について説明する。ステアリングホイールによる操舵入力がほとんどない状態でブレーキ入力があったと直進制動判定部１２１が判定すると、偏向予測部１２２が、車体の重心、制動力の大きさ、車速等に基づき、車体に発生するであろう制動偏向の向きと大きさを予測する。ストローク調整部１２６は、予測された制動偏向を抑制するために必要な各車輪のエアサスペンション装置のストローク量を算出し、算出したストローク量が実現されるように、エアチャンバに通じる空気制御バルブの開閉量を調整する。これによって、サスペンション装置のステア角が変わり、車体に発生する制動偏向が抑制される。
【００３８】
図４は、本実施形態に係る車両制御装置において、車両の左右非対称性に起因する偏向を抑制する原理を説明するための模式図であり、図２と同様に重心が右寄りの車両１０が直進制動したときの様子を示す。図中の車輪ＦＬ、ＦＲ、ＲＬ、ＲＲにおいて、点線は非制御時の各車輪の向きを示し、実線は制御時の各車輪の向きを示している。
【００３９】
車両１０の制動時には荷重が前輪側に移動するので、前輪側のサスペンション装置はバウンド側に、後輪側のサスペンション装置はリバウンド側にストロークする。なお、ストローク量は荷重とサスペンションのばね定数とに依存する。通常の状況においては、制動時の荷重移動は左右の車輪で大きな差はなく、また車両のサスペンション装置は左右の車輪でばね定数が等しく設定されている。したがって、車両の制動時、左右の車輪のサスペンション装置におけるストローク量はほぼ等しくなる。
【００４０】
一般的にサスペンション装置は、ストロークが変位すると車輪がステアするような構造となっている。このステア量は、サスペンションのジオメトリによって幾何学的に決定される。通常の車両では、サスペンション装置はバウンド時にトーイン、リバウンド時にトーアウトとなるように設計されている。したがって、図４の車両１０が直進制動するとき、前輪ＦＬ、ＦＲはトーイン方向に、後輪ＲＬ、ＲＲはトーアウト方向にステアする。図４中の点線はこの状態を示している。
【００４１】
本実施形態の車両制御装置１５０は、車両の直進制動時に、車体に右回りのヨーモーメントが発生するように各車輪のサスペンション装置のストローク量を制御する。図２のように重心が右寄りで左偏向する車両の場合には、左前輪ＦＬのサスペンションをバウンド増（すなわちトーイン増）の方向に、右前輪ＦＲのサスペンションをバウンド減（すなわちトーイン減）の方向に、それぞれストローク量を強制的に変更する。同様に、左後輪ＲＬのサスペンションをリバウンド増（すなわちトーアウト増）の方向に、右後輪ＲＲのサスペンションをリバウンド減（すなわちトーアウト減）の方向に、それぞれストローク量を強制的に変更する。図４中の矢印Ｅ１〜Ｅ４は、各車輪の向きと変位量を矢印の向きと長さで表している。これらのストローク量の変更によって、重心Ｇの周りに右方向のヨーモーメントが発生する。このヨーモーメントは車体を右向きＢＲに曲げる。この結果、車両の左右非対称性に起因して発生する左向きＢＬに曲げる力と相殺されるので、車体に生じる偏向量を抑制することが可能になる。
【００４２】
図５（ａ）〜（ｄ）は、図４を参照して述べた各車輪のサスペンション装置に対するストローク量の制御をより詳細に説明する図である。なお、図５（ａ）〜（ｄ）は、いずれも図２および図４で説明した重心が右寄りの車両についてのものである。
【００４３】
図５（ａ）は、前輪ＦＬ、ＦＲにおけるバウンド方向のストローク量と接地荷重との関係を示すグラフである。通常走行時のストローク量と接地荷重との関係が、図中の実線で表されるものとする。ストローク調整部１２６は、直進制動時に、左前輪ＦＬについてはバウンド方向のストローク量を増加させ、右前輪ＦＲについてはバウンド方向のストローク量を減少させるように制御する。
【００４４】
図５（ｂ）は、前輪ＦＬ、ＦＲにおけるバウンド方向のストローク量とトーイン方向のステア角との関係を示すグラフである。本実施形態では、ストローク量とステア角とが線形関係にあるものとする。上述したように、直進制動時にストローク調整部１２６は、左前輪ＦＬについてはバウンド方向のストローク量を増加させ、右前輪ＦＲについてはバウンド方向のストローク量を減少させる。この結果、左前輪ＦＬのトーイン方向のステア角が増大し、右前輪ＦＲのトーイン方向のステア角が減少することが分かる。したがって、車体に右周りのヨーモーメントが発生し、左偏向を抑制することができる。
【００４５】
図５（ｃ）は、後輪ＲＬ、ＲＲにおけるリバウンド方向のストローク量と接地荷重との関係を示すグラフである。ストローク調整部１２６は、直進制動時に、左後輪ＲＬについてはリバウンド方向のストローク量を増加させ（すなわち、バウンド方向のストローク量を減少させ）、右後輪ＲＲにおいてはリバウンド方向のストローク量を減少させるように制御する。
【００４６】
図５（ｄ）は、後輪ＲＬ、ＲＲにおけるリバウンド方向のストローク量とトーアウト方向のステア角との関係を示すグラフである。上述したように、直進制動時にストローク調整部１２６は、左後輪ＲＬについてはリバウンド方向のストローク量を増加させ、右後輪ＲＲについてはリバウンド方向のストローク量を減少させる。この結果、左後輪ＲＬのトーアウト方向のステア角が増大し、右後輪ＲＲのトーアウト方向のステア角が減少することが分かる。したがって、車体に右回りのヨーモーメントが発生し、左偏向を抑制することができる。
【００４７】
なお、サスペンション特性がバウンド時にトーアウトとなるように設定されている場合は、上記とは左右逆向きの制御とすればよい。
【００４８】
また、重心が左寄りであるため車両に右向きの偏向が生じる場合にも、上記とは左右逆向きの制御とすればよい。
【００４９】
図６は、本実施形態に係る偏向抑制プロセスのフローチャートである。まず、直進制動判定部１２１は、車両の直進時にブレーキが踏まれたか否かを判断する（Ｓ１０）。すなわち、ステアリングホイールの操舵角が所定範囲内であるときに、所定値以上のブレーキトルクが発生したか否かを判断する。車両が旋回中にブレーキが踏まれた場合、または直進中でもブレーキトルクが小さい場合は（Ｓ１０のＮ）、偏向抑制制御を実行するのは適切でないため、このフローを終了する。
【００５０】
車両直進時に所定のブレーキトルク以上でブレーキが踏まれた場合（Ｓ１０のＹ）、重心推定部１２３は接地荷重センサまたはストローク量センサの検出値に基づき、車体の重心位置を推定する（Ｓ１２）。偏向量推定部１２４は、車体の重心、車速およびブレーキトルクに基づき、今回のブレーキで車体に発生するであろう偏向の向きと大きさを推定する（Ｓ１４）。
【００５１】
ストローク量算出部１２８は、推定された制動偏向を減少させるために各車輪のサスペンション装置で達成すべきストローク量を求める（Ｓ１６）。バルブ制御部１３０は、各車輪のサスペンション装置のエアチャンバに通じる空気バルブを制御する（Ｓ１８）。
【００５２】
以上説明したように、本実施形態によれば、車体の重心、ブレーキトルクおよび車速に基づき、車体に発生するであろう制動偏向の向きと大きさを予測し、これを減少する方向に各車輪のエアサスペンション装置のストローク量を調整する。これによって、サスペンション装置のステア角が変わり、車体に発生する制動偏向が抑制される。
【００５３】
以上、本発明を実施の形態をもとに説明した。これらの実施の形態はあくまで例示であり、実施の形態どうしの任意の組み合わせ、実施の形態の各構成要素や各処理プロセスの任意の組み合わせなどの変形例もまた、本発明の範囲にあることは当業者に理解されるところである。
本発明は、上述の各実施形態に限定されるものではなく、当業者の知識に基づいて各種の設計変更等の変形を加えることも可能である。各図に示す構成は、一例を説明するためのもので、同様な機能を達成できる構成であれば、適宜変更可能である。
【００５４】
実施の形態では、車両の四輪のストローク量を同時に調整することを述べたが、例えば前輪ＦＬ、ＦＲのみ、または後輪ＲＬ、ＲＲのみについてストローク量を調整してもよい。この場合、四輪全てを調整するときよりも、偏向の抑制量は小さくなる可能性がある。
さらに、前輪ＦＬ、ＦＲのうちの一輪や、後輪ＲＬ、ＲＲのうちの一輪についてストローク量を調節してもよいし、前後輪のそれぞれから一輪についてストローク量を調整してもよい。前輪一輪のみのストローク量を調整する場合には、例えば左前輪ＦＬを制御し右前輪ＦＲは非制御とすることで、左前輪のトーイン量を増加させて右方向のヨーモーメントを発生させることができる。
【００５５】
実施の形態では、圧縮空気の量によって車高を調整するエアサスペンション装置を備えた車両について説明したが、ＥＣＵからの信号によってストローク量が可変である任意のサスペンション装置を備えた車両においても、本発明を適用することができる。
【符号の説明】
【００５６】
ＦＬ  左前輪、  ＦＲ  右前輪、  ＲＬ  左後輪、  ＲＲ  右後輪、  １０  車両、  １２  車体、  １６  エアサスペンション、  １８  ステアリングホイール、  １００  ＥＣＵ、  １０２  操舵角センサ  １０４  車輪速センサ、  １０６  ストロークセンサ、  １１０  ブレーキトルクセンサ、  １２０  検出値取得部、  １２１  直進制動判定部、  １２２  偏向予測部、  １２３  重心推定部、  １２４  偏向量推定部、  １２６  ストローク調整部、１２８  ストローク量算出部、  １３０  バルブ制御部、  １４０  空気圧制御バルブ、  １５０  車両制御装置、  １６６  エアタンク、  Ｃ  車両中心線、  Ｇ  車両重心。
【図１】
0005556500.tif 000002
【図２】
0005556500.tif 000003
【図３】
0005556500.tif 000004
【図４】
0005556500.tif 000005
【図５】
0005556500.tif 000006
【図６】
0005556500.tif 000007